(57)【要約】【目的】  作業者のベルトに係着するクリップ形態ならびに外部のフック部材に係着する係着具形態にスライド変化可能に構成した巻尺用ベルトクリップで、製造上の公差により生じるクリップ体のスライドフィーリングを、各ベルトクリップで大なる差がないようにした巻尺用ベルトクリップを提供できるようにする。【解決手段】  クリップ体３のアーム部３ａを、外側から圧迫された軸方向にスリット５ａを有する筒体５により該スリット５ａが開の状態で支持する。【選択図】  図３
2014115180.tif 000002
【特許請求の範囲】
【請求項１】
巻尺のケースに取り付けられ、ケースを作業者のベルトや外部のフック部材に係着可能に構成した巻尺用ベルトクリップであって、該ベルトクリップは、ケースに固定するベース体と、少なくともケースとの間に前記ベルトが入る空間を形成するクリップ形態ならびに外部のフック部材に係着する係着具形態にスライド変化可能なクリップ体からなり、該クリップ体は、外側から圧迫された軸方向にスリットを有する筒体により該スリットが開の状態で支持されていることを特徴とするスライド部材の新規支持構造を用いた外部フック対応の巻尺用ベルトクリップ。
【請求項２】
上記圧迫が弾性体により行われ、該弾性体は、筒体の外側に嵌められていることを特徴とする請求項１に記載のスライド部材の新規支持構造を用いた外部フック対応の巻尺用ベルトクリップ。
【請求項３】
上記圧迫が弾性体により行われ、該弾性体は、筒体の外側に巻き付けられていることを特徴とする請求項１に記載のスライド部材の新規支持構造を用いた外部フック対応の巻尺用ベルトクリップ。
【請求項４】
スライド部材を、外側から圧迫された軸方向にスリットを有する筒体により該スリットが開の状態で支持することを特徴とするスライド部材の支持構造。
【発明の詳細な説明】
【技術分野】
【０００１】
本発明は、巻尺ケースを外部のフックにも吊り下げ可能な巻尺用ベルトクリップに関し、より詳しくは、作業者のベルトに係着するクリップ形態ならびに外部のフック部材に係着する係着具形態に変化するスライドクリップ体に関する。
【背景技術】
【０００２】
従来、巻尺用ベルトクリップは、図７に示すように、ヘアピン状に形成したプレート体９の同プレート間に作業者が装着するベルト１０を挿嵌できるようになっていて、例えば、測定作業中に巻尺を一時保持する時や移動のため携帯する際には、該プレート体９をベルト１０に係着することによって同巻尺を作業者が装着するベルト１０に保持させることができるようになっている（例えば、特許文献１参照）。
【０００３】
そして、最近では作業者が装着するベルトに、カラビナ（茄子環やＤフックなど）などの吊り下げ具を多数並設して、該カラビナに電動工具に備えるリング体などを引掛けて吊り下げ携帯できるようにしていて、巻尺においても、該巻尺に備えるベルトクリップがカラビナに対応できる形態に変化し、該カラビナに吊り下げ携帯できるようになっている。なお、カラビナに吊り下げ携帯できるようになっているベルトクリップは、本出願人発明のものである。
【０００４】
上記、カラビナに吊り下げ携帯できるようになっているベルトクリップで、巻尺のケースに取り付けられるベース体に支持されて、ケースとの間に作業者のベルトが入る空間を形成するクリップ形態と、外部のフック部材に係着する係着具形態とにスライド変化できるクリップ体について、各ベルトクリップでスライドフィーリング（例えば、スライドさせたときの感覚（軽い／重い））が極端に違うものが発生していて、スライドフィーリングが安定しなかった。
【０００５】
しかしながら、上記の主なる原因がスライド部材たるクリップ体のロッド状部分の直径のバラツキすなわち部材の公差によるものが多く、このため単なる部品不良としては扱えず、スライドが極端に軽いものや重いものは部材の組み合わせなどを変えて対応していて、大に製造効率が低かった。
【先行技術文献】
【特許文献】
【０００６】
【特許文献１】登録実用新案第３１３８２８６号公報
【発明の概要】
【発明が解決しようとする課題】
【０００７】
本発明の目的とするところは、製造上の公差により生じるクリップ体のスライドフィーリングを、各製品間で大なる差がないようにすることができる外部フック対応の巻尺用ベルトクリップを提供できるようにすることにある。
【課題を解決するための手段】
【０００８】
上述した課題を解決するために、本発明に係るスライド部材の新規支持構造を用いた外部フック対応の巻尺用ベルトクリップは、巻尺のケースに取り付けられ、ケースを作業者のベルトや外部のフック部材に係着可能に構成した巻尺用ベルトクリップであって、該ベルトクリップは、ケースに固定するベース体と、少なくともケースとの間に前記ベルトが入る空間を形成するクリップ形態ならびに外部のフック部材に係着する係着具形態にスライド変化可能なクリップ体からなり、該クリップ体は、外側から圧迫された軸方向にスリットを有する筒体により該スリットが開の状態で支持されていることを特徴とするものである。
【０００９】
ベース体は、本ベルトクリップをケースに固定するための部分または部材であり、螺子などの固定手段によって取り付けられる。
【００１０】
クリップ体は、作業者のベルトや外部のフック部材に係着可能な部材で、ベース体で支持する形態に構成するのが望ましいが、巻尺の形態や外部フックの形態などにより、クリップ体を任意の部材（例えば、クリップ体の支持部材など）を介してベース体に取り付ける場合がある。
【００１１】
本クリップ体のスライド動作は、クリップ体を、軸方向にスリットを有する筒体によって圧迫した状態で支持しているスライド支持部において、ケースより引き出された測定テープに略直交方向となるケースの上下方向にスライド移動し、該クリップ体をケースの下方向にスライド移動して本体の大半をスライド支持部よりも下方に移動させたときにクリップ形態になるようにし、また、クリップ体をケースの上方向にスライド移動して本体の大半をスライド支持部よりも上方に移動させたときに係着具形態になるようにしている。
【００１２】
そして、上記クリップ形態にしたとき、少なくともケースとの間に作業者のベルトが入る空間が形成され、また、上記係着具形態にしたとき、外部のフック部材に係着する係着具形態になる。なお、係着具形態のときは、クリップ体の一部がケースよりも突出するようにして、クリップ体を外部のフック部材に掛け易くするのがよい。
【００１３】
また、クリップ体をクリップ形態や係着具形態に変化させたとき、特にクリップ体に変化させたときは、クリップ体のスライド移動が適当に抑制されるようにして、クリップ形態を維持できるようにするのが適当である。このクリップ形態維持手段は公知の技術を利用し、例えば、クリップ体の移動により該クリップ体の一部が支持部に徐々に喰い込んでいくように構成（例えば、締まり嵌め構造などを利用）したり、別部材で構成したロック機構（自動や手動）で構成する場合もある。
【００１４】
さらに、作業者のベルトをクリップ体の先端側より該クリップ体とケース面との間に入れ易くするために、クリップ体（素材の性質など）やクリップ体支持部に有する弾性によってクリップ体の先端とケース面との間が外力によって離間できて、また弾性復元力によって初期位置に復帰できるようにする場合もある。
【００１５】
そして、ベルトクリップにおけるクリップ体は、例えばベース体に設けたスライド支持部に、外側から圧迫された軸方向にスリットを有する筒体により該スリットが開の状態で支持されているものである。上記圧迫の方法も特に限定するものではないが、筒体を周囲から安定よく圧迫（締め付け）するには弾性体を用いるのがよく、この場合、弾性体がクリップ体に装着した筒体を圧迫し、筒体がクリップ体を圧迫する。
【００１６】
また、弾性体に圧迫力が生じるようにするには、例えば、スライド支持部を２ピース部材で構成し、弾性体を装着した筒体をセットする２ピース部材の一方乃至両方に形成した凹所を適当に小なるものにして、該凹所にセットすることで弾性体に筒体の外側を締め付ける圧迫力（締め付け力）が生じるようにしてもよい。すなわち、弾性体を凹所に適当にきつくセットすることで、弾性体に筒体の外側（例えば周囲）を圧迫する圧迫力を生じさせる。なお、弾性体による圧迫力の調整は、凹所の形状や大きさなどを選定したり、弾性体の寸法や素材の選定によって行えばよい。
【００１７】
筒体の形状は特に限定するものではないが、筒体内空部は、該筒体内を通過するクリップ体の部位の断面形状に合わせるのが望ましい。例えば、クリップ体の筒体内を通過する部位が断面円形のロッド状であれば、筒体の内空断面も円形にするのがよい。なお、円筒状のブッシュを用いてもよい。
【００１８】
また、弾性体を介させる方法の一例としては、筒体の外側に該筒体外径と略同一の内径を有する弾性筒体（例えば、弾性を有する素材から形成した筒体）を嵌める方法や、板状の弾性体を筒体の外側に巻き付ける方法で行ってもよい。
【００１９】
筒体の素材としては金属や樹脂（合成／天然）を用いればよいが、特に適するものとしては、合成樹脂（ナイロン／テフロン（登録商標）／ジュラコン／ＰＥＴ）がよく、また、弾性体の素材としては、ゴム（合成／天然）やシリコーン樹脂などが上げられる。
【００２０】
ベース体やクリップ体の素材としても特に限定するものではなく、巻尺のケースを安全に作業者のベルトや外部のフック部材に係着できるものを用いて構成すればよい。一例として、金属や樹脂（合成／天然）を用いればよい。
【００２１】
クリップ体は、全体を線状材（ロッド材）で形成するのがスライド支持部における支持性や操作性そしてデザイン性などがよいが、勿論、この形状に限定するものではなくプレート状部分などを設けてもよい。なお、線状材を用いる場合、平面視において環状矩形に形成すれば、スライド移動に適するものになる。
【００２２】
なお、スライド部材の支持構造を上述した巻尺用ベルトクリップ以外のものに応用する場合は、スライド部材を、外側から圧迫された軸方向にスリットを有する筒体により該スリットが開の状態で支持する。筒体の圧迫は、上述のような弾性体での圧迫や公知の圧迫手段を用いて圧迫すればよい。
【発明の効果】
【００２３】
本発明のスライド部材の新規支持構造を用いた外部フック対応の巻尺用ベルトクリップによれば、スライド部材たるクリップ体が、外側から弾性体によって圧迫された軸方向にスリットを有する筒体により該スリットが開の状態で支持されるので、弾性体の圧迫（締め付け）によってクリップ体のロッド状部分に作用する力が、弾性体と軸方向にスリットを有する筒体によって巻尺用ベルトクリップ製品毎に調整され、部材の公差が原因で生じるクリップ体のスライドフィーリングを、各ベルトクリップで大なる差がないようにすることができる。従って、各製品間でのスライドフィーリング差が縮小される。さらに、製造効率も大に改善される。
【００２４】
そして、本スライド部材の新規支持構造は、構造も簡単であるため巻尺用ベルトクリップ以外のものに十分に応用することができるので、特に、スライドロッドを支持する際に大なる効果を発揮するものである。
【図面の簡単な説明】
【００２５】
【図１】本発明に係る巻尺用ベルトクリップを示す斜視図。
【図２】クリップ体を変化させた状態を示す斜視図。
【図３】スライド支持部の構造を示す斜視図。
【図４】図３中のＡ−Ａ断面図。
【図５】ベルトクリップの使用状態を示す図。
【図６】ベルトクリップの使用状態を示す図。
【図７】従来のベルトクリップを設けている巻尺を示す斜視図。
【発明を実施するための形態】
【００２６】
以下、本発明に係るスライド部材の新規支持構造を用いた外部フック対応の巻尺用ベルトクリップを、添付図面に示す具体例に基づいて説明する。
【００２７】
本巻尺用ベルトクリップは、図１に示すように、巻尺のケース１に固定されるベース体２と、ベース体２のスライド支持部２ａに支持され、ベース体２が取り付けられるケース１面に略平行にスライド移動するスライド部材たるクリップ体３から構成している。
【００２８】
ベース体２は、ケース１の組み立ての際に用いる固定用ねじたる雄ねじ４によってこのケース１上に固定している。
【００２９】
実施例で示すクリップ体３は、断面円形の線状材を平面視において環状に形成したロッド状のもので、また図中の符号３ａは、作業者のベルトまた外部のフック部材に係着するクリップ体３のアーム部である。
【００３０】
また、図１は、クリップ体３がケース１の下方向に位置して作業者のベルトに係着可能なクリップ形態にしている状態を示し、図２は、クリップ体３を図１中の矢印Ａ方向にスライドさせてケース１の上方向に位置させ、外部のフック部材に係着できる係着具形態にしている状態を示している。
【００３１】
そして、スライド支持部２ａは、図３に示すように、２ピース部材で構成したスライド支持部２ａの本体と押え蓋に有するそれぞれの凹所２ｂに、クリップ体３のアーム部３ａに装着されて弾性体６を周囲に配したスリット５ａを有する筒体５を嵌着した構造にしている。弾性体６は、板状の弾性体として筒体５の外側に巻き付けて配している。なお本図は、弾性体６を装着した筒体５の凹所２ｂへの嵌着状態を分かり易くするため、押え蓋を取り外した状態で図示している。また、図中の符号２ｃは、押え蓋の固定用ねじである。
【００３２】
これにより、スライド支持部２ａの凹所２ｂの内壁が弾性体６を圧迫（締め付け）し、弾性体６が筒体５を圧迫（締め付け）し、筒体５がクリップ体３におけるアーム部３ａ（ロッド状部分）を圧迫（締め付け）して、適当な圧迫力でアーム部３ａを支持する。
【００３３】
そして、アーム部３ａに加わる圧迫力（締め付け力）が弾性体６の弾力性ならびに筒体５のスリット５ａによって巻尺用ベルトクリップ製品毎に適度に調整されるので、公差によりアーム部３ａの直径にバラツキが生じてもアーム部３ａに加わる圧迫力が各ベルトクリップで大なる差が生じないようになる。従って、各製品間でのスライドフィーリング差が縮小される。
【００３４】
上述する筒体５ならびに弾性体６をしっかりと保持できれば、これらを凹所２ｂ内に収容して保持する以外の方法で保持してもよい。
【００３５】
図５は、クリップ形態のクリップ体３を作業者のベルト７に係着している状態を示し、また、ベルト７は先端３ｂ側から入る。図６は、係着具形態のクリップ体３を作業者のベルト７に有するカラビナ（茄子環やＤフックなど）などのフック８に掛着している状態を示している。
【符号の説明】
【００３６】
１…ケース
２…ベース体
２ａ…スライド支持部
２ｂ…凹所
２ｃ…固定用ねじ
３…クリップ体
３ａ…アーム部
３ｂ…先端
４…雄ねじ
５…筒体
５ａ…スリット
６…弾性体
７…ベルト
８…フック
９…プレート体
１０…ベルト
【図１】
2014115180.tif 000003
【図２】
2014115180.tif 000004
【図３】
2014115180.tif 000005
【図４】
2014115180.tif 000006
【図５】
2014115180.tif 000007
【図６】
2014115180.tif 000008
【図７】
2014115180.tif 000009